(57)【要約】【課題】  汗や運動によってもずれたり脱落しにくい眼鏡を提供する。【解決手段】  眼鏡フレームを構成する一部又は全部の構成部材を、眼鏡装着者の肌に対する滑り止め用の部材で形成した。フロントフレームとテンプルとを一体に形成し、前記フロントフレームと前記テンプルとの間に、肉厚を薄くしたヒンジ部分を形成してもよい。滑り止め用の部材がウレタン樹脂又はシリコン樹脂で形成し、前記滑り止め用の部材を前記構成部材の形状を維持するための形状維持部材に取り付けてもよい。【選択図】  図３
2017026784.tif 000002
【特許請求の範囲】
【請求項１】
眼鏡フレームを構成する一部又は全部の構成部材を、眼鏡装着者の肌に対する滑り止め用の部材で形成したことを特徴とする眼鏡。
【請求項２】
前記構成部材が、フロントフレームと鼻パッドとを一体に形成したものであることを特徴とする請求項１に記載の眼鏡。
【請求項３】
前記構成部材が、フロントフレームとテンプルとを一体に形成したものであることを特徴とする請求項１又は２に記載の眼鏡。
【請求項４】
前記フロントフレームと前記テンプルとの間に、肉厚を薄くしたヒンジ部分を形成したことを特徴とする請求項３に記載の眼鏡。
【請求項５】
前記滑り止め用の部材がウレタン樹脂又はシリコン樹脂で形成されていることを特徴とする請求項１〜４のいずれかに記載の眼鏡。
【請求項６】
前記滑り止め用の部材を、前記構成部材の形状を維持するための形状維持部材に取り付けたことを特徴とする請求項１〜５のいずれかに記載の眼鏡。
【請求項７】
前記形状維持部材がポリアミド樹脂で形成されていることを特徴とする請求項６に記載の眼鏡。
【請求項８】
前記形状維持部材で前記構成部材の外郭を形成し、前記滑り止め用の部材を前記構成部材の内側に一体に取り付けたことを特徴とする請求項６又は７に記載に眼鏡。
【請求項９】
前記構成部材がフロントフレームである場合に、前記形状維持部材と前記滑り止め用の部材とでレンズを保持することを特徴とする請求項８に記載の眼鏡。
【請求項１０】
前記形状維持部材と前記滑り止め用の部材との形状、模様、色彩を相違させて組み合わせ、これらの相違がアクセントとして外観に出現させたことを特徴とする請求項６〜９のいずれかに記載の眼鏡。
【請求項１１】
前記形状維持部材で前記構成部材の外郭を形成するとともに前記滑り止め用の部材を前記構成部材の内側に一体に取り付け、前記外郭の一部に貫通孔を形成し、この貫通孔から前記外郭と色の異なる前記形状維持部材を露出させたことを特徴とする請求項１０に記載の眼鏡。
【発明の詳細な説明】
【技術分野】
【０００１】
本発明は、眼鏡を構成するテンプルやフロントフレームなどの構成部材を、ウレタン樹脂やシリコン樹脂等の滑り止め部材で形成した眼鏡に関する。
【背景技術】
【０００２】
眼鏡の材料として一般に用いられている樹脂材料や金属材料は、硬質で表面平滑性の高いものが多く、眼鏡装着者の肌に対して滑りやすいことから、汗をかいたり運動をしたりしたときなどは、眼鏡がずれたり脱落したりするという問題がある。特に、近年では軽量かつ丈夫でコスト的に優れるポリアミド樹脂（例えばスイス国ＥＭＳＣｈｅｍｉｅＡＧ社製の「グリルアミド（登録商標）ＴＲ９０」）が眼鏡フレームの材料として多用されるに至っている（特許文献１〜３参照）が、このような材料は従来の樹脂よりも表面平滑性が高いことから、上記の問題点がより顕著になる。
【先行技術文献】
【特許文献】
【０００３】
【特許文献１】特開平６−２８７２９７号公報（要約及び請求項１５の記載参照）
【特許文献２】実用新案登録第３１７０６１３号公報（段落００２０の記載参照）
【特許文献３】特開２０１２−１３７７０３号公報（段落００１７の記載参照）
【発明の開示】
【発明が解決しようとする課題】
【０００４】
このような問題を解決するべく、眼鏡フレームの表面に滑り止めのための塗料を塗布又はメッキしたり、コーティングしたりすることが行われているが、塗装やメッキ、コーティング等の表面処理は長期の使用によって剥がれやすく、剥がれによって外観品質を著しく低下させるという問題がある。本発明はこのような問題に鑑みてなされたものである。
【課題を解決するための手段】
【０００５】
上記課題を解決するために、本発明の眼鏡は、眼鏡フレームを構成する一部又は全部の構成部材を、眼鏡装着者の肌に対する滑り止め用の部材で形成した構成としてある。前記構成部材は、フロントフレームと鼻パッドとを一体に形成したものとしてもよい。
また、前記構成部材は、フロントフレームとテンプルとを一体に形成したものであってもよく、前記フロントフレームと前記テンプルとの間に、肉厚を薄くしたヒンジ部分を形成することで、テンプル折り畳みのための機械的なヒンジ機構が不要にできる。
【０００６】
前記滑り止め用の部材としては、ウレタン樹脂やシリコン樹脂を好適に用いることができる。ウレタン樹脂やシリコン樹脂は軽量で眼鏡装着者の肌触りがソフトでフィット性も高く、汗をかいても滑りにくい。また、運動等で多少の振動が加わっても、容易にずれることがない。
ウレタン樹脂やシリコン樹脂だけでは眼鏡の構成部材としての形状の維持が困難であるため、形状維持部材を取り付けるようにするとよい。このような形状維持部材としては種々の樹脂や金属、木材、竹材などを挙げることができるが、光沢性がありコストも安く近年人気が高まっているポリアミド樹脂を用いるのが好ましい。このような形状維持部材で前記構成部材の外郭を形成し、前記滑り止め用の部材を前記構成部材の内側に一体に取り付けてもよい。また、前記構成部材がフロントフレームである場合に、前記形状維持部材と前記滑り止め用の部材とでレンズを挟持するようにしてもよい。
【０００７】
さらに、前記形状維持部材と前記滑り止め用の部材との形状、模様、色彩を相違させて組み合わせ、これらの相違がアクセントとして外観に出現させるようにすることで、眼鏡のデザイン性を高めることができる。また、デザインのバリエーションを拡げることができる。また、前記形状維持部材で前記構成部材の外郭を形成するとともに前記滑り止め用の部材を前記構成部材の内側に一体に取り付け、前記外郭の一部に貫通孔を形成し、この貫通孔から前記外郭と色の異なる前記形状維持部材を露出させるようにしてもよい。露出させた前記滑り止め用の部材がデザイン上のアクセントになるほか、前記外郭の外側において部分的に滑り止め機能を備えさせることができる。また、前記滑り止め用の部材と前記構成部材との密着性も高めることができる。
【発明を実施するための最良の形態】
【０００８】
以下、本発明の好適な実施形態を以下に説明する。
図１は、本発明の第一の実施形態にかかる眼鏡の全体構成を示す斜視図、図２はこの実施形態の眼鏡におけるヒンジ部の拡大図である。
【０００９】
図１に示すように、眼鏡１はレンズ１４，１４を保持するフロントフレーム１２と、このフロントフレーム１２の両端に折り畳み自在に取り付けられたテンプル１１，１１と、フロントフレーム１２の中央に形成された鼻バッド１３とを有する。
この実施形態では、鼻パッド１３が一体に形成されたフロントフレーム１２とテンプル１１は、滑り止め用の部材であるウレタン樹脂やシリコン樹脂等の樹脂で形成されている。これら樹脂は、眼鏡装着者の肌とのフィット性が高く肌触りがソフトなうえ汗をかいても滑りにくく、運動による振動でも眼鏡が脱落しにくいという特徴がある。なお、このような特徴を有する樹脂であれば、ウレタン樹脂やシリコン樹脂に限らず、他の樹脂を用いてもよい。
また、フロントフレーム１２とテンプル１１とはヒンジ部１５によって折り畳み可能となっているが、ウレタン樹脂やシリコン樹脂等の材料は軟質であるため、例えばフロントフレーム１２とテンプル１１とを一体に形成し、図２に示すようにヒンジ部１５の肉厚を薄くするだけでテンプル１１の折り畳みが可能になる。そのため、一般の眼鏡で利用されているような機械的なヒンジ機構を不要にできる。
【００１０】
図３は、本発明の第二の実施形態にかかる眼鏡の全体構成を示す斜視図、図４（ａ）は図３の眼鏡のI-I断面図、（ｂ）は図３の眼鏡のII-II断面図である。
なお、図１の眼鏡と同一部位、同一部材には同一の符号を付して詳細な説明は省略する。
この実施形態では、テンプル１１及びフロントフレーム１２の形状に応じて形成された外郭１１ａ，１２ａの内側に、ウレタン樹脂又はシリコン樹脂で形成された滑り止め用の部材１１ｂ，１２ａを一体的に取り付けている。外郭１１ａ，１２ａを形成する材料としては、滑り止め用の部材１１ｂ，１２ａの形状を一定に維持することが可能で、加熱等することでその形状の微調整が可能であれば、金属や竹材、木材、樹脂などを用いることができる。超弾性で表面平滑性が高く硬質の「グリルアミド（登録商標）ＴＲ９０」を好適に用いることができる。
【００１１】
外郭１１ａ，１２ａへの滑り止め部材１１ｂ，１２ｂの取り付けは、予め前記凹部と一致する形状に形成した滑り止め部材１１ｂ，１２ｂを、接着剤等によって外郭１１ａ，１２ａに貼り付けるようにしてもよいが、例えば図４（ａ）に示すように、外郭１１ａ，１２ａの内側の滑り止め部材１１ｂ，１２ｂを取り付ける取付面に突起１１ｃを形成し、前記取付面に溶融した滑り止め用の部材１１ｂ，１２ｂの材料を流し込んで固化させることで、外郭１１ａ，１２ａに対して滑り止め用の部材１１ｂ，１２ｂが強固に取り付けられる。これにより、長期の使用によっても滑り止め部材１１ｂ，１２ｂを外郭１１ａ，１２ａに対して容易に剥がれないようにすることができる。
【００１２】
本発明の眼鏡の第三の実施形態を、第二の実施形態にかかる図３及び図４（ｂ）を参照しつつ説明する。
第三の実施形態の眼鏡では、外郭１１ａ，１２ａと滑り止め用の部材１１ｂ，１２ｂの形状、模様、色彩の一部又は全部を相違させて組み合わせてもよい。これらの相違をアクセントとして眼鏡１の外観に出現させることで、眼鏡１のデザイン性の幅を拡げることができる。
また、図４（ｂ）に示すように、フロントフレーム１２又はテンプル１１（図示の例ではテンプル１１）の外郭１１ａに窓状の貫通孔１１ｄを形成し、滑り止め用の部材１１ｂがこの貫通孔１１ｄから外郭１１ａの外側表面に露出するようにする。外郭１１ａの色と滑り止め用の部材１１ｂの色とを異ならせることで、外郭１１ａの表面の一部に滑り止め用部材１１ｂが貫通孔１１ｄの形状に応じた形状及び大きさの模様として浮き上がり、眼鏡１のデザインにアクセントを付与することができる。また、外郭１１ａの外側表面に滑り止め用の部材１１ｂが露出することで、外郭１１ａの外側において部分的に滑り止め機能を備えさせることができる。さらに、滑り止め用の部材１１ｂが貫通孔１１ｄに入り込んで固化することで、外郭１１ａと滑り止め用の部材１１ｂとの密着性も高めることができる。
なお、特に図示はしないが、このような貫通孔１１ｄはフロントフレーム１２の外郭１２ａに形成してもよい。
【００１３】
本発明の眼鏡の第四の実施形態を、図５を参照しつつ説明する。
図５は、フロントフレーム１２を図３のIII-III方向で切断した部分断面図である。
図示するように、一体に形成された外郭１２ａと滑り止め用の部材１２ｂの内周面に溝１２ｃを形成し、レンズ１４のヤゲン１４ａをこの溝１２ｃに嵌め込むようにしている。滑り止め用の部材１２ｂをウレタン樹脂やシリコン樹脂等の軟質の材料で形成することで、フロントフレーム１２へのレンズ１４の着脱を容易に行えるようになる。
【００１４】
本発明の好適な実施形態について説明したが、本発明は上記の実施形態に限定されるものではない。
例えば、滑り止め用の部材１１ｂ，１２ｂによる滑り止め効果をより高めるために、滑り止め部材１１ｂ，１２ｂの表面に凹凸や突起、切り込み等を形成してもよい。
【図面の簡単な説明】
【００１５】
【図１】本発明の第一の実施形態にかかる眼鏡の全体構成を示す斜視図である
【図２】本発明の第一の実施形態にかかる眼鏡のヒンジ部の拡大図である。
【図３】本発明の第二の実施形態にかかる眼鏡の全体構成を示す斜視図である
【図４】（ａ）は本発明の第二の実施形態にかかる眼鏡の図３におけるＩ−Ｉ方向断面図、（ｂ）は本発明の第三の実施形態にかかる眼鏡の図３におけるＩＩ−ＩＩ方向断面図である。
【図５】本発明の第四の実施形態にかかる眼鏡の図３におけるIII−II方向断面図である。
【符号の説明】
【００１６】
１      眼鏡
１１    テンプル
１１ａ  外郭
１１ｂ  滑り止め用の部材
１１ｃ  突起
１１ｄ  貫通孔
１２    フロントフレーム
１２ａ  外郭
１２ｂ  滑り止め用の部材
１２ｃ  溝
１３    鼻パッド
１４    レンズ
１４ａ  ヤゲン
【図１】
2017026784.tif 000003
【図２】
2017026784.tif 000004
【図３】
2017026784.tif 000005
【図４】
2017026784.tif 000006
【図５】
2017026784.tif 000007